(57)【要約】【課題】軒樋が収納される箱体への衝撃に対して、軒樋への衝撃が緩和され、軒樋の変形、破損、擦傷等を防止することができる軒樋の梱包構造を提供する。【解決手段】底壁１２の両側縁に側壁１３がそれぞれ立設されて開口部１１が形成され、両側壁１３の上端外縁に耳部１４が形成されている軒樋１が箱体２内に積層収納されてなる軒樋１の梱包構造において、最上位の軒樋１の開口部１１内には上部緩衝部材３が配置され、最下位の軒樋１の下方には下部緩衝部材４が配置されており、上部緩衝部材３はその上面３１が箱体２の天板２１の一部と当接され天板２１と最上位の軒樋１との間に上部衝撃吸収空間Ａを形成し、下部緩衝部材４は最下位の軒樋１の両側壁１３の耳部１４を下方から支持して箱体２の底板２２と最下位の軒樋１との間に下部衝撃吸収空間Ｂを形成していることとする。【選択図】図１
2008081139.tif 000002
【特許請求の範囲】
【請求項１】
底壁の両側縁に側壁がそれぞれ立設されて開口部が形成され、両側壁の上端外縁に耳部が形成されている軒樋が箱体内に積層収納されてなる軒樋の梱包構造において、最上位の軒樋の開口部内には上部緩衝部材が配置され、最下位の軒樋の下方には下部緩衝部材が配置されており、上部緩衝部材はその上面が箱体の天板の一部と当接され天板と最上位の軒樋との間に上部衝撃吸収空間を形成し、下部緩衝部材は最下位の軒樋の両側壁の耳部を下方から支持して箱体の底板と最下位の軒樋との間に下部衝撃吸収空間を形成していることを特徴とする軒樋の梱包構造。
【請求項２】
上部緩衝部材は、軒樋の開口部に嵌合される角型筒体であることを特徴とする請求項１に記載の軒樋の梱包構造。
【請求項３】
下部緩衝部材は、最下位の軒樋の両側壁の耳部を下方から支持する耳部支持部が箱体の底板に当接される軒樋支持部の両側縁にそれぞれ立設されて断面略コ字状に形成されていることを特徴とする請求項１に記載の軒樋の梱包構造。
【発明の詳細な説明】
【技術分野】
【０００１】
本発明は、軒樋の梱包構造に関するものである。
【背景技術】
【０００２】
従来、上方に開口する角形の軒樋を上下方向に複数積み重ねて、ダンボールなどの箱体に収納する際に、箱体内部の最上の軒樋の上方の空間を発泡スチロール樹脂製の上緩衝材で埋めるとともに、箱体内部の最下の軒樋の下方の空間を古紙を再生して抄造プレスして形成されてなる下緩衝材で埋めるようにした軒樋の梱包構造が知られている（例えば、特許文献１参照）。
【特許文献１】実開平５−６２４８７号公報
【発明の開示】
【発明が解決しようとする課題】
【０００３】
この軒樋の梱包構造は、例えば、軒樋を収納した箱体の輸送中の荷扱い時において外部から衝撃を受けた場合、箱体内部の空間を隙間なく埋めた緩衝材で衝撃を受けることにより、箱体自体の変形や破損あるいは収納されている軒樋の変形、破損または積み重ねた軒樋同士が互いに接触して軒樋表面に擦傷が生じないようにしている。
【０００４】
しかしながら、上記の軒樋の梱包構造において箱体自体が変形してしまうような強い衝撃が加わった場合、もはや緩衝材で衝撃を十分に緩和することができず、軒樋の変形、破損、擦傷等を十分に防止することができない場合があった。このため、収納された軒樋への衝撃ができるだけ緩和されるような軒樋の梱包構造が望まれているのが実情である。
【０００５】
本発明は、以上の通りの事情に鑑みてなされたものであり、軒樋が収納される箱体への衝撃に対して、軒樋への衝撃が緩和され、軒樋の変形、破損、擦傷等を防止することができる軒樋の梱包構造を提供することを課題とする。
【課題を解決するための手段】
【０００６】
本発明の軒樋の梱包構造は、上記の課題を解決するために、以下のことを特徴としている。
【０００７】
第１に、底壁の両側縁に側壁がそれぞれ立設されて開口部が形成され、両側壁の上端外縁に耳部が形成されている軒樋が箱体内に積層収納されてなる軒樋の梱包構造において、最上位の軒樋の開口部内には上部緩衝部材が配置され、最下位の軒樋の下方には下部緩衝部材が配置されており、上部緩衝部材はその上面が箱体の天板の一部と当接され天板と最上位の軒樋との間に上部衝撃吸収空間を形成し、下部緩衝部材は最下位の軒樋の両側壁の耳部を下方から支持して箱体の底板と最下位の軒樋との間に下部衝撃吸収空間を形成していることを特徴とする。
【０００８】
第２に、上記第１の軒樋の梱包構造において、上部緩衝部材は、軒樋の開口部に嵌合される角型筒体であることを特徴とする。
【０００９】
第３に、上記第１の軒樋の梱包構造において、下部緩衝部材は、最下位の軒樋の両側壁の耳部を下方から支持する耳部支持部が箱体の底板に当接される軒樋支持部の両側縁にそれぞれ立設されて断面略コ字状に形成されていることを特徴とする。
【発明の効果】
【００１０】
上記第１の発明によれば、上部緩衝部材の上面が箱体の天板の一部と当接され天板と最上位の軒樋との間に上部衝撃吸収空間を形成し、下部緩衝部材は最下位の軒樋の両側壁の耳部を下方から支持して箱体の底板と最下位の軒樋との間に下部衝撃吸収空間を形成していることにより、軒樋が収納される箱体に衝撃が加わった場合でも、箱体内の上部衝撃吸収空間および下部衝撃吸収空間でその衝撃が緩和されるため、軒樋の変形、破損、擦傷等を防止することができる。
【００１１】
上記第２の発明によれば、上部緩衝部材が軒樋の開口部に嵌合される角型筒体であることにより、上記効果に加え、軒樋内方向から軒樋の形状を保持し、軒樋の形状の変形を防止することができる。
【００１２】
上記第３の発明によれば、下部緩衝部材が断面略コ字状に形成されていることにより、軒樋を確実に支持し、下部衝撃吸収空間を確実に確保することができるので、より一層軒樋への衝撃が緩和され、軒樋の変形、破損、擦傷等を防止することができる。
【発明を実施するための最良の形態】
【００１３】
以下に、本発明の実施の形態について、図面を参照しながら説明する。
【００１４】
図１は、軒樋の梱包構造の一実施形態を示した概略断面図であり、図２は、軒樋の梱包構造の一実施形態を示した概略斜視図である。図３（ａ）は、上部緩衝部材の一実施形態を示した斜視図であり、図３（ｂ）は、下部緩衝部材の一実施形態を示した斜視図である。
【００１５】
本実施形態の軒樋の梱包構造は、上方に向けて開口部１１を有する角形の軒樋１が複数積み重ねられ、最上位の軒樋１の開口部１１内に上部緩衝部材３が配置され、最下位の軒樋１の下方に下部緩衝部材４が配置されて、これらがダンボール紙や厚紙製等の箱体２に収納されて梱包されている。箱体２内部においては、後述するが、箱体２の天板２１と最上位の軒樋１との間に上部衝撃吸収空間Ａが形成され、箱体２の底板２２と最下位の軒樋１との間に下部衝撃吸収空間Ｂが形成されている。
【００１６】
軒樋１は、底壁１２とその底壁１２の両側縁にそれぞれ立設される前側壁１３ａと後側壁１３ｂとから形成され、前側壁１３ａの上端の外縁には中空の前耳部１４ａが長手方向に形成され、後側壁１３ｂの上端の外縁にも同様に中空の後耳部１４ｂが長手方向に形成されている。
【００１７】
上部緩衝部材３は、例えば、平板状のダンボール紙や厚紙等を折曲させて容易に形成することができる。例えば、本実施形態では、図３（ａ）に示すように、平板状のダンボール紙や厚紙等を用いて、軒樋１の内面形状に沿った形状になるように断面ロ字状に折曲して、角型筒体としている。その上面３１では平板の端部と端部が折り重なるように折曲されている。
【００１８】
上部緩衝部材３の材質としては、上述したようにダンボール紙や厚紙等であってもよいが、衝撃を緩和させることができるものであれば、その材質は特に制限されるものではない。例えば、発泡スチロール樹脂、古紙を抄造プレスして形成したもの等、従来より緩衝材として既知であるものを用いてもよい。
【００１９】
図１に示すように、角型筒体の上部緩衝部材３は、最上位の軒樋１の底壁１２と箱体２の天板２１との間に介在するように軒樋１の開口部１１に嵌合されて配置されており、上部緩衝部材３の高さは軒樋１の側壁１３よりも高くなっている。すなわち、上部緩衝部材３の下面３２は最上位の軒樋１の底壁１２に当接され、上部緩衝部材３の上面３１は箱体２の天板２１に当接されており、箱体２の天板２１は上部緩衝部材３によって支持されている。箱体２の天板２１はその一部が上部緩衝部材３の上面３１と当接されており、その他の箇所の天板２１と最上位の軒樋１との間、具体的には、最上位の軒樋１の両側壁１３の耳部１４上方に上部衝撃吸収空間Ａが形成されている。
【００２０】
このように箱体２の天板２１は上部緩衝部材３によって支持されているため、例えば、箱体２の上方からの衝撃に対しては、この上部緩衝部材３が衝撃を受けることになる。このとき上部緩衝部材３の上面３１は二重に折り重ねられているため、効果的に衝撃が吸収され、軒樋１への衝撃が緩和される。また、より大きな衝撃が加わった場合には、上部緩衝部材３が上部衝撃吸収空間Ａを埋めるように変形して衝撃が吸収されるか、あるいは上部衝撃吸収空間Ａで衝撃が吸収されて、軒樋１への衝撃が緩和される。したがって、上部衝撃吸収空間Ａの存在によって、軒樋１への衝撃が緩和され、軒樋１の変形、破損、擦傷等を防止することができる。
【００２１】
箱体２の上方の角部に衝撃が加わった場合でも、箱体２が上部衝撃吸収空間Ａを埋めるように変形して衝撃が吸収されるか、あるいは上部衝撃吸収空間Ａで衝撃が吸収されるため、軒樋１への衝撃が緩和されることになる。
【００２２】
また、本実施形態では、上部緩衝部材３は軒樋１の内面形状に沿った角型筒体に形成され、このものが最上位の軒樋１の開口部１１内に嵌合されて配置されるため、内方向から軒樋１の形状を保持し、軒樋１の形状の変形を防止している。例えば、箱体２に横方向から衝撃が加わった場合、上部緩衝部材３で軒樋１の側壁１３の内方向への倒れ込みが防止され、軒樋１の変形を防止することができる。
【００２３】
下部緩衝部材４は、上部緩衝部材３と同様、平板状のダンボール紙や厚紙等を折曲させて、容易に形成することができる。例えば、本実施形態では、図３（ｂ）に示すように、平板状のダンボール紙や厚紙等の一端と他端が下面で接触するように断面コ字状に折曲して、軒樋支持部４１とその両側縁に立設される前耳部支持部４２ａと後耳部支持部４２ｂとを形成している。
【００２４】
なお、下部緩衝部材４の材質としては、上部材質材と同様なものが考慮される。
【００２５】
図１に示すように、箱体２内において、下部緩衝部材４は箱体２の底板２２に配置されている。このとき、下部緩衝部材４の軒樋支持部４１の下面は箱体２の底板２２に当接されている。そして、下部緩衝部材４の前耳部支持部４２ａの上端は最下位の軒樋１の前側壁１３ａの前耳部１４ａの下面に当接されており、後耳部支持部４２ｂの上端は最下位の軒樋１の後側壁１３ｂの後耳部１４ｂの下面に当接されており、軒樋１を下方から持ち上げるように、前耳部１４ａおよび後耳部１４ｂを前耳部支持部４２ａおよび後耳部支持部４２ｂで支持している。したがって、耳部支持部４２の高さは、軒樋１の側壁１３の高さよりも高くなっており、最下位の軒樋１の底壁１２と箱体２の底板２２との間に下部衝撃吸収空間Ｂが形成されている。また、前耳部支持部４２ａおよび後耳部支持部４２ｂの外側面はそれぞれ箱体２の側板２３に当接され、前耳部支持部４２ａおよび後耳部支持部４２ｂのの内側面は最下位の軒樋１の側壁１３と当接されておらず、隙間が生じている。したがって、前耳部支持部４２ａと最下位の軒樋１の前側壁１３ａとの間および後耳部支持部４２ｂと最下位の軒樋１の後側壁１３ｂとの間にも、下部衝撃吸収空間Ｂが形成されている。
【００２６】
このように本実施形態では、下部緩衝部材４が断面略コ字状に形成されていることで、最下位の軒樋１の側壁１３の耳部１４と下部緩衝部材４の耳部支持部４２とを確実に当接させることができ、しかも下部緩衝部材４の軒樋支持部４１が箱体２の底板２２に確実に当接されるため、軒樋１を安定して確実に支持することができる。また、下部衝撃吸収空間Ｂを確実に確保することができる。
【００２７】
本実施形態の軒樋１の梱包構造では、図１に示すように、箱体２内において、断面略コ字状の下部緩衝部材４によって積み重ねられた軒樋１が支持されているため、箱体２の下方またはその角部あるいは箱体２下部の横方向からの衝撃に対しては、この下部緩衝部材４が衝撃を受けることになる。このとき下部緩衝部材４の軒樋支持部４１、前耳部支持部４２ａおよび後耳部支持部４２ｂは二重に形成されているため、効果的に衝撃が吸収され、軒樋１への衝撃が緩和される。また、より大きな衝撃が加わった場合には、下部緩衝部材４が下部衝撃吸収空間Ｂを埋めるように変形して衝撃が吸収されるか、あるいは下部衝撃吸収空間Ｂで衝撃が吸収されて、軒樋１への衝撃が緩和される。したがって、下部衝撃吸収空間Ｂの存在によって、軒樋１への衝撃が緩和され、軒樋１の変形、破損、擦傷等を防止することができる。
【００２８】
なお、上部緩衝部材３および下部緩衝部材４は、軒樋１の長手方向の全面にわたってそれぞれ１個ずつ配置されていてもよいが、所定の間隔をもって複数の上部緩衝部材３および下部緩衝部材４がそれぞれ配置されていてもよい。
【図面の簡単な説明】
【００２９】
【図１】軒樋の梱包構造の一実施形態を示した概略断面図である。
【図２】軒樋の梱包構造の一実施形態を示した概略斜視図である。
【図３】（ａ）は上部緩衝部材の一実施形態を示した斜視図であり、（ｂ）は下部緩衝部材の一実施形態を示した斜視図である。
【符号の説明】
【００３０】
１  軒樋
１１  開口部
１２  底壁
１３  側壁
１４  耳部
２  箱体
２１  天板
２２  底板
３  上部緩衝部材
３１  上面
４  下部緩衝部材
４１  軒樋支持部
４２  耳部支持部
Ａ  上部衝撃吸収空間
Ｂ  下部衝撃吸収空間
【図１】
2008081139.tif 000003
【図２】
2008081139.tif 000004
【図３】
2008081139.tif 000005